(57)【特許請求の範囲】
【請求項１】
非ヒト哺乳動物のアトピー性皮膚炎の患部を覆い、覆われた空間を大気中での放電により発生するＨ＋（Ｈ2Ｏ）m（ｍは任意の整数）からなるプラスイオンとＯ2−（Ｈ2Ｏ）n（ｎは任意の整数）からなるマイナスイオンにより満たし、前記放電によって生じるプラズマ領域から離れたところで、非ヒト哺乳動物の皮膚に高濃度のプラスイオンとマイナスイオンを直接作用させることで非ヒト哺乳動物のアトピー性皮膚炎を予防または治療する方法。
【請求項２】
放電により発生させる前記プラスイオンおよび前記マイナスイオンの濃度がそれぞれ２０００００個／ｃｍ3以上であることを特徴とする、請求項１に記載の方法。
【請求項３】
患部を覆う空間を覆い、覆われた空間を大気中での放電により発生するＨ＋（Ｈ2Ｏ）m（ｍは任意の整数）からなるプラスイオンとＯ2−（Ｈ2Ｏ）n（ｎは任意の整数）からなるマイナスイオンにより満たし、前記放電によって生じるプラズマ領域から離れたところで、患者の皮膚に高濃度のプラスイオンとマイナスイオンを直接作用させることでアトピー性皮膚炎を予防または治療する医療装置。
【請求項４】
放電により発生させる前記プラスイオンおよび前記マイナスイオンの濃度がそれぞれ２０００００個／ｃｍ3以上であることを特徴とする、請求項３に記載の装置。
【請求項５】
ヒトの腕または脚を通すための空洞が内部に設けられたケーシングと、ケーシング内に設けられ前記空洞にイオンを吹き出すイオン発生素子とを備え、
前記ケーシングは前記空洞に連通する開口部を両端に有し、前記開口部にはヒトの腕または脚と前記開口部との隙間を埋めるシール部材を有し、
皮膚に高濃度のプラスイオンおよびマイナスイオンを直接作用させることでアトピー性皮膚炎を予防または治療する、請求項３または４に記載の装置。
【請求項６】
前記ケーシングは、両端の開口部の間に屈曲可能な部分を備える、請求項５に記載の装置。
【発明の詳細な説明】
【技術分野】
【０００１】
本発明は、アトピー性皮膚炎の発症を予防または治療する方法、ならびに、アトピー性皮膚炎の発症を予防または治療する装置に関する。
【背景技術】
【０００２】
近年、アトピー性皮膚炎の慢性疾患患者数が急激に増加してきている。アトピー性皮膚炎の症状は強い痒みを伴って湿疹が出るものである。現在、アトピー性皮膚炎の治療方法といえば、外用ステロイド剤や抗ヒスタミン剤などの薬剤の使用がほとんどである。しかしながらこのような治療は、一時的に症状が改善するが、治療を止めた途端に以前よりさらに症状が悪化してしまう例も少なくない。そのため継続して薬剤を投与する必要があり、また、外用ステロイド剤の場合は長期連用による副作用のため、長期にわたっての投与自体が困難であった。
【０００３】
また、アトピー性皮膚炎はアレルギー性皮膚炎の１種であるため、室内空間の抗原性物質を除去することもアトピー性皮膚炎の予防または治療方法の一つであると考えられている。特開２００９−０２８６８１号公報（特許文献１）にはハウスダストなどの抗原性物質（アレルゲン）を吸い込み、フィルタで捕集する空気清浄機が開示されている。また、特開２００４−２６８０１４号公報（特許文献２）にはプラスイオンとマイナスイオンにより空気中に浮遊する抗原性物質を失活させる方法が開示されている。
【０００４】
しかしながら、アトピー性皮膚炎の原因は遺伝的要因などの環境要因以外の要因もあるため、室内空間の抗原性物質を除去または失活させればアトピー性皮膚炎の症状を和らげる効果があることもあるが、その効果は絶対的なものではない。
【先行技術文献】
【特許文献】
【０００５】
【特許文献１】特開２００９−０２８６８１号公報
【特許文献２】特開２００４−２６８０１４号公報
【特許文献３】特開２００６−０７５３５８号公報
【発明の概要】
【発明が解決しようとする課題】
【０００６】
上述したように、外用ステロイド剤や抗ヒスタミン剤などの薬剤を使用して、アトピー性皮膚炎の治療をする方法においては、薬剤を継続投与しなければならない。また、外用ステロイド剤は長期連用による副作用があるため、長期にわたっての投与自体が困難である。抗ヒスタミン剤も患者によっては、不整脈などの副作用が現れることもある。
【０００７】
本発明は、上記課題を解決するためになされたものであって、その目的とするところは、薬剤を使用することなくアトピー性皮膚炎の発症を予防または治療する方法および装置を提供することである。
【課題を解決するための手段】
【０００８】
本発明の方法は、非ヒト哺乳動物自身または非ヒト哺乳動物のアトピー性皮膚炎の患部を覆い、覆われた空間を大気中での放電により発生するＨ＋（Ｈ2Ｏ）m（ｍは任意の整数）からなるプラスイオンとＯ2−（Ｈ2Ｏ）n（ｎは任意の整数）からなるマイナスイオンにより満たし、前記プラスイオンおよび前記マイナスイオンを非ヒト哺乳動物の皮膚表面に接触させることで非ヒト哺乳動物のアトピー性皮膚炎を予防または治療することを特徴とする。
【０００９】
本発明の方法において、放電により発生させる前記プラスイオンおよび前記マイナスイオンの濃度がそれぞれ２０００００個／ｃｍ3以上であることが好ましい。
【００１０】
本発明の医療装置は、患者自身または患部を覆う空間を覆い、覆われた空間を大気中での放電により発生するＨ＋（Ｈ2Ｏ）m（ｍは任意の整数）からなるプラスイオンとＯ2−（Ｈ2Ｏ）n（ｎは任意の整数）からなるマイナスイオンにより満たし、前記プラスイオンおよび前記マイナスイオンを皮膚表面に接触させることで患者のアトピー性皮膚炎を予防または治療することを特徴とする。
【００１１】
本発明の医療装置において、放電により発生させる前記プラスイオンおよび前記マイナスイオンの濃度がそれぞれ２０００００個／ｃｍ3以上であることが好ましい。
【００１２】
本発明の医療装置は、放電により発生させる前記プラスイオンおよび前記マイナスイオンの濃度がそれぞれ２０００００個／ｃｍ3以上であることが好ましい。
【００１３】
本発明の医療装置は、ヒトの腕または脚を通すための空洞が内部に設けられたケーシングと、ケーシング内に設けられ前記空洞にイオンを吹き出すイオン発生素子とを備え、前記ケーシングは前記空洞に連通する開口部を両端に有し、前記開口部にはヒトの腕または脚と前記開口部との隙間を埋めるシール部材を有することが好ましい。
【００１４】
本発明の医療装置において、前記ケーシングは、両端の開口部の間に屈曲可能な部分を備えることが好ましい。
【００１５】
本発明はまた、幌を備えた乳母車において、前記幌の内側にイオン発生素子を備え、前記幌で覆われた空間を前記イオン発生素子により発生するＨ＋（Ｈ2Ｏ）m（ｍは任意の整数）からなるプラスイオンとＯ2−（Ｈ2Ｏ）n（ｎは任意の整数）からなるマイナスイオンにより満たし、前記プラスイオンおよび前記マイナスイオンを乳母車に乗った乳児または乳幼児の皮膚表面に接触させることでアトピー性皮膚炎を予防または治療する幌付乳母車についても提供する。
【発明の効果】
【００１６】
本発明によれば、薬剤を使用することなくアトピー性皮膚炎の発症を予防または治療することができる。
【図面の簡単な説明】
【００１７】
【図１】本発明の好ましい一例のアトピー性皮膚炎の予防または治療装置１を模式的に示す図である。
【図２】図１に示す装置１をヒトに適用する場合における断面図である。
【図３】本発明の好ましい他の例のアトピー性皮膚炎の予防または治療装置１１を模式的に示す図である。
【図４】図３に示す装置１１の断面図である。
【図５】図３に示す装置１１をヒトの腕に装着した場合を模式的に示す図である。
【図６】本発明に好適に用いられるイオン発生素子の一例を模式的に示す図である。
【図７】本発明の好ましい一例のアトピー性皮膚炎を予防または治療する幌付乳母車３１を模式的に示す図である。
【図８】実験例１において試験室の中に設置した飼育ケージの配置を模式的に示す図であり、図８（ａ）はＰＣＩ設置群、図８（ｂ）は空気清浄機設置群である。
【図９】実験例１における１群、３群、５群のマウスの皮膚症状を示す写真である。
【図１０】実験例１における２群、４群、６群のマウスの皮膚症状を示す写真である。
【図１１】２群、４群、６群のマウスのアトピースコアを示すグラフである。
【図１２】実験例１において、試験終了後に各群の血漿中のＩｇＥをＥＬＩＳＡ法により分析した結果を示すグラフである。
【図１３】実験例１において、試験終了後に各群の血漿中のＩＦＮ−γをＥＬＩＳＡ法により分析した結果を示すグラフである。
【図１４】実験例１において、試験終了後に各群の血漿中のＩＬ−１０をＥＬＩＳＡ法により分析した結果を示すグラフである。
【図１５】実験例１において、試験終了時の各群の炎症性細胞を示す写真である。
【図１６】実験例２の結果を示すグラフであり、ＰＣＩ設置群および無設置群のそれぞれの生存率の平均を示している。
【図１７】実験例２の結果を示すグラフであり、ＰＣＩ設置群および無設置群の皮膚反応の程度によって分けたそれぞれの群の生存率について示している。
【図１８】実験例２の結果を示すグラフであり、ＰＣＩ設置群および無設置群の各初期アトピー症状ごとのアトピースコアの総平均を示している。
【図１９】実験例２の結果を示すグラフであり、ＰＣＩ設置群および無設置群の各初期アトピー症状ごとのアトピースコアについて示している。
【発明を実施するための形態】
【００１８】
＜アトピー性皮膚炎の予防または治療方法＞
本発明のアトピー性皮膚炎の予防または治療方法は、非ヒト哺乳動物自身または非ヒト哺乳動物のアトピー性皮膚炎の患部を覆い、覆われた空間を大気中での放電により発生するＨ＋（Ｈ2Ｏ）m（ｍは任意の整数）からなるプラスイオンとＯ2−（Ｈ2Ｏ）n（ｎは任意の整数）からなるマイナスイオンにより満たし、前記プラスイオンおよび前記マイナスイオンを非ヒト哺乳動物の皮膚表面に接触させることで、アトピー性皮膚炎を予防または治療する。
【００１９】
ここで、特開２００６−０７５３５８号公報（特許文献３）には、動物の損傷した患部または粘膜部にプラスイオンおよびマイナスイオンを放出し、前記患部または粘膜部に存在する微生物またはウイルスが有する核酸を破壊しない条件で微生物またはウイルスが有するタンパク質を断片化することを特徴とする殺菌方法が記載されている。この特許文献３に開示された方法は、肌または粘膜部に付着した微生物またはウイルスを殺菌するものであり、動物の肌に直接働きかけるものではない。
【００２０】
これに対し、本発明の方法は、皮膚に付着した微生物またはウイルスを殺菌することによりアトピー性皮膚炎の予防または治療を行なうものではなく、皮膚に直接高濃度のプラスイオンとマイナスイオンを作用させることによってアトピー性皮膚炎の予防または治療を行なうものである。このように本発明の方法は、特許文献３に開示された方法とは、技術的思想が全く異なるものである。
【００２１】
本発明の方法において治療または予防の対象となる非ヒト哺乳動物としては、たとえば、犬、牛、猫、豚、猿、ウサギ、ラットなどが挙げられる。また、アトピー性皮膚炎の患部としては、たとえば手、足（肢）、胴、顔、頭皮などの皮膚が挙げられる。
【００２２】
Ｈ＋（Ｈ2Ｏ）m（ｍは任意の整数）からなるプラスイオンおよびＯ2−（Ｈ2Ｏ）n（ｎは任意の整数）からなるマイナスイオンは、たとえば、イオン発生素子の放電現象により空気中の酸素（Ｏ2）および水（Ｈ2Ｏ）などの分子がエネルギーを受けることで発生させることができ、通常、正負の電圧を交互に印加させることによりプラスイオンおよびマイナスイオンを同時に発生させ空気中に放出することができる。しかしながら、本発明において用いられるプラスイオンおよびマイナスイオンの発生方法はこれに限定されるものではなく、正負いずれかの一方の電圧のみを印加しプラスイオンおよびマイナスイオンのいずれかの一方のみのイオンを先に発生させた後、次に逆の電圧を印加し既に送出されたイオンとは逆の電荷をもったイオンを発生させることもできる。なお、これらのプラスイオンおよびマイナスイオンの発生に必要な印加電圧は、電極の構造にもよるが１．１ｋＶ〜２．０ｋＶの範囲が好ましい。
【００２３】
放電素子の表面に存在する酸素分子および／または水分子を原料として放電現象により発生したプラスイオンおよびマイナスイオンの組成は、主としてプラスイオンとしてはプラズマ放電により空気中の水分子が電離して水素イオンＨ＋が生成し、これが溶媒和エネルギーにより空気中の水分子とクラスタリングすることによりＨ＋（Ｈ2Ｏ）m（ｍは任意の整数）を形成する。一方、マイナスイオンとしてはプラズマ放電により空気中の酸素分子または水分子が電離して酸素イオンＯ2−が生成し、これが溶媒和エネルギーにより空気中の水分子とクラスタリングすることによりＯ2−（Ｈ2Ｏ）n（ｎは任意の整数）を形成する。またこれらの両者が反応して過酸化水素Ｈ2Ｏ2、二酸化水素Ｏ2Ｈ、ヒドロキシラジカル・ＯＨなどのさらに活性な活性種を容易に生成することができる。
【００２４】
本発明においては、放電により発生させるプラスイオンおよびマイナスイオンの濃度がそれぞれ２０００００個／ｃｍ3以上であることが好ましい。プラスイオンおよびマイナスイオンの濃度がそれぞれ２０００００個／ｃｍ3未満である場合には、アトピーの予防・治療の効果が薄れる傾向にあるためである。なお、ここでイオン数の定義としては、小イオンを対象として計数したものであり、空気中の臨界移動度として、１ｃｍ2／Ｖ・秒としたものである。
【００２５】
空気がこのようなプラスイオンおよびマイナスイオンを含むか否かは、ガス質量分析検査、ガス濃度検査、変色検査、臭気検査、発光検査、発生音検査などによって、ガス組成を検査することで判定することができる。ガス質量分析検査は、従来公知の質量分析装置を利用することができ、ガス濃度検査は、ガスクロマトグラフィやイオンカウンターを利用して計測することができる。また、変色検査や臭気検査は、目視判定や嗅覚検査など官能性検査に付すことができるほか、色差計やニオイセンサなどを利用することもできる。また、発光検査や発生音検査は、これも目視判定や聴覚検査など官能性試験に付すことができるほか、吸光光度計、分光器、光センサ、照度計、マイクロフォンなどを利用することができる。
【００２６】
＜アトピー性皮膚炎を予防または治療する医療装置＞
本発明は、患者自身または患部を覆う空間を覆い、覆われた空間を大気中での放電により発生するＨ＋（Ｈ2Ｏ）m（ｍは任意の整数）からなるプラスイオンとＯ2−（Ｈ2Ｏ）n（ｎは任意の整数）からなるマイナスイオンにより満たし、前記プラスイオンおよび前記マイナスイオンを患者の皮膚表面に接触させることでアトピー性皮膚炎を予防または治療する医療装置についても提供する。本発明の装置においても、その詳細は本発明の方法について上述したのと同様であり、放電により発生させる前記プラスイオンおよび前記マイナスイオンの濃度がそれぞれ２０００００個／ｃｍ3以上であることが好ましい。ただし、本発明の装置は、その予防または治療の対象として、非ヒト哺乳動物だけでなく、ヒトを包含する点において、上述した本発明の方法と相違する。
【００２７】
図１は、本発明の好ましい一例のアトピー性皮膚炎の予防または治療装置１を模式的に示す図であり、図２は、ヒト（患者）４に適用する場合におけるその断面図である。図１および図２に示す例の装置１は、寝台５上に横になったヒト４の頭部側が位置する両側の端部に側板６が設置され、寝台５上にヒトが横になった際にその頭部の上側となるように、側板６のそれぞれに固定されてカバー２が設置されている。カバー２と寝台５との上下方向における距離は、寝台５上に横になったヒト４が寝返りをうつことができる程度の隙間を有するように設定される。また寝台５のヒト４が横になった際の頭部側の長手方向の端部には、頭部側側板７が設けられており、カバー２と側板６と頭部側側板７とで覆われた空間が形成されている。
【００２８】
図１および図２に示す例において、カバー２の前記空間側にはイオン発生素子３が設置され、このイオン発生素子３を駆動させることで、前記空間を高濃度のＨ＋（Ｈ2Ｏ）m（ｍは任意の整数）からなるプラスイオンとＯ2−（Ｈ2Ｏ）n（ｎは任意の整数）からなるマイナスイオンで満たすことができる。図２に示す例では、このような装置１によって、寝台５上に横たわったヒトの頭部から胸部辺りまでを覆うことができる。これにより、就寝時に装置１を使用することで、頭部または頚部などのアトピー性皮膚炎を予防または治療することが可能となる。
【００２９】
図３は、本発明の好ましい他の例のアトピー性皮膚炎の予防または治療装置１１を模式的に示す図であり、図４はその断面図である。また図５は、当該装置１１をヒトの腕に装着した場合を模式的に示す図である。本発明は、アトピー性皮膚炎の予防または治療装置の好ましい態様の１つとして、ヒトの腕または脚を通すための空洞が内部に設けられたケーシングと、ケーシング内に設けられ前記空洞にイオンを吹き出すイオン発生素子とを備え、前記ケーシングは前記空洞に連通する開口部を両端に有し、前記開口部にはヒトの腕または脚と前記開口部との隙間を埋めるシール部材を有することを特徴とする装置についても提供する。
【００３０】
図３〜図５に示す例において、ケーシング１２は略円筒形をしており、その両端に開口部１３を有する。開口部１３にはそれぞれリング状のシール部材１４が備えられている。シール部材１４はクッション性のあるウレタンであり、ウレタンの外側を布（図示せず）で覆っている。シール部材１４は使用者の腕や脚の太さに合わせて最適なサイズのものに交換することができる。なお、シール部材１４は、必ずしも隙間を完全に埋めるものでなくともよく、腕または脚と開口部との間の空間を概ね覆っていれば、少しの隙間があっても構わない。
【００３１】
図３〜図５に示す例のように、ケーシング１２は、両端の開口部１３の間に屈曲可能な部分（屈曲可能部）１５を備えることが、好ましい。屈曲可能部１５は、たとえばウレタン製の蛇腹管で形成され、ケーシング１２の一方端は他方端に対し屈曲可能である。ケーシング１２の表面には操作部１６が設けられている。操作部１６には、たとえば、電源ＯＮ／ＯＦＦのためのスイッチ１７と、電源ＯＮ／ＯＦＦの状態確認（たとえば電源ＯＮの状態で点灯し、電源ＯＦＦの状態で消灯する）のためのＬＥＤ１８が設けられている。
【００３２】
また、イオン発生素子３がケーシング１２の内側の空洞に向けてイオンを放出できるように、ケーシング１２の内部に設けられている。イオン発生素子３の近傍に、イオン発生素子３を駆動制御する駆動回路が設けられている。駆動回路は、操作部１６およびイオン発生素子３に接続され、操作部１６でのスイッチ１７の操作によってイオン発生素子３の駆動制御を行なうことができるように実現される。
【００３３】
ここで、図６は、本発明に好適に用いられるイオン発生素子３の一例を模式的に示す図である。イオン発生素子３は、たとえば図６に示す例のように、二つのイオン発生部２１，２２を保持体により保持する。イオン発生部２１，２２に電圧を供給する給電部は駆動回路の中に設けられる。給電部からイオン発生部２１，２２に電圧を供給することによってイオン発生部２１，２２がイオンを発生する。
【００３４】
イオン発生部２１，２２は針状を成す放電電極２１ａ，２２ａと、放電電極２１ａ，２２ａを囲繞する誘導電極環２１ｂ，２２ｂとを有している。放電電極２１ａ，２２ａはそれぞれ誘導電極環２１ｂ，２２ｂの中心部に配される。以下に説明するように、一方のイオン発生部２１がプラスイオンを発生し、他方のイオン発生部２２がマイナスイオンを発生するように構成されている。イオン発生部２１，２２から発生するイオンの極性を所定時間毎に切り換えてもよい。
【００３５】
一方のイオン発生部２１には正電圧が印加され、放電によるプラズマ領域で空気中の水分子が電気的に分解して主として水素イオンＨ＋が生成される。そして、生成された水素イオンの周りに空気中の水分子が凝集し、正のクラスターイオンＨ＋（Ｈ2Ｏ）m（ｍは任意の整数）が形成される。他方のイオン発生部２２には負電圧が印加され、放電によるプラズマ領域で空気中の酸素分子が電気的に分解して主として酸素イオンＯ2−が生成される。そして、生成された酸素イオンの周りに空気中の水分子が凝集し、負のクラスターイオンＯ2−（Ｈ2Ｏ）n（ｎは任意の整数）が形成される。
【００３６】
また、図３〜図５に示した例の装置１１では、ケーシング１２の空洞とケーシング１２の外部を繋ぐ小さな通風穴１９が備えられる。ケーシング１２に通風穴１９を設けることにより、夏などの発汗量が多い時期に空洞内の湿気を逃がすことができる。
【００３７】
装置１１を使用する際は、図５に示すようにケーシング１２両端の開口部１３に腕を通し、蛇腹管で形成された屈曲可能部１５が肘の位置にくるようにする。ケーシング１２の蛇腹管が屈曲することにより、使用者は腕に装置１１を装着した状態においても、腕の関節を自由に動かすことができる。また、蛇腹管は伸縮自在でもあるため、腕への装着が容易である。
【００３８】
なお、図５には腕への装着例を示したが、脚にも装着することが可能である。この場合は、膝の関節部に蛇腹管がくるように装着することで、装置１１を装着した状態で膝の関節を動かすことができる。
【００３９】
一般に、アトピー性皮膚炎は肘または膝の内側に発症することが多い。本実施例のイオン発生装置１はこのような肘または膝の内側に発症するアトピー性皮膚炎の予防または治療のために用いることができる。
【００４０】
装置１１の空洞に腕または脚を通すと、腕または脚の周囲に狭い遮蔽空間が形成される。この狭い遮蔽空間にＨ＋（Ｈ2Ｏ）m（ｍは任意の整数）からなるプラスイオンとＯ2−（Ｈ2Ｏ）n（ｎは任意の整数）からなるマイナスイオンを放出することで、遮蔽空間内ではプラスイオン濃度およびマイナスイオン濃度は非常に高くなる。したがって、就寝時などに装置１１を腕または脚に装着することで、アトピー性皮膚炎の予防または治療を効果的に行なうことができる。
【００４１】
なお、図３〜図５に示した例の装置１１では、ケーシング１２に小さな通風穴１９が設けられており、空洞と外気とは完全には遮蔽されていない。しかしながら、この通風穴１９から外気に逃げるイオンは少量であるため、高濃度のプラスイオン／マイナスイオンの空間を作るのには大きく影響しない。
【００４２】
スイッチ１７をＯＮにすると、ＬＥＤ１８が点灯し、駆動回路によりイオン発生素子３が駆動され、プラスイオンおよびマイナスイオンを放出する。装置１１はケーシング１２に内蔵されたバッテリー（不図示）によって駆動するようにしても勿論よく、それによって家の中などで日常生活を送る際も使用することができる。
【００４３】
本発明はまた、アトピー性皮膚炎を予防または治療する幌付乳母車についても提供する。図７は、本発明の好ましい一例のアトピー性皮膚炎を予防または治療する幌付乳母車３１を模式的に示す図である。本発明の幌付乳母車３１は、図７に示す例のように、幌３２を備えた乳母車であって、前記幌３２の内側にイオン発生素子３を備える。幌付乳母車３１は、幌３２を広げた際に、乳幼児または幼児を幌３２により覆うことができ、幌３２の内側に設置さえたイオン発生素子３によりＨ＋（Ｈ2Ｏ）m（ｍは任意の整数）からなるプラスイオンとＯ2−（Ｈ2Ｏ）n（ｎは任意の整数）からなるマイナスイオンを幌３２内に満たし、前記プラスイオンおよび前記マイナスイオンを幌付乳母車に乗った乳幼児または幼児の皮膚表面に接触させることでアトピー性皮膚炎を予防または治療する。
【００４４】
幌付乳母車３１には、イオン発生素子３を駆動させるための電源として、たとえば充電式のバッテリーを搭載するようにしてもよい。また、幌３２の外側に太陽電池パネルを備えるように実現されてもよく、このようにすることで、別途電源を設置することなく、イオン発生素子を駆動することもできる。
【００４５】
以下、実験例を挙げて本発明をより詳細に説明するが、本発明はこれらに限定されるものではない。
【００４６】
＜実験例１＞
アトピー性皮膚炎を自然発症するＮＣ／Ｎｇａマウスを用いて、下記の試験を行なった。ＮＣ／Ｎｇａマウスは広くアトピー皮膚炎のモデル動物として認知されている種である。その症状は掻痒を伴う皮膚炎症を示し、発症中の血漿ＩｇＥの顕著な増加を特徴とする。また、本マウスはダニ抗原によってアトピー性皮膚炎を発症し、ＳＰＦ（Specific Pathogen Free）飼育されたマウスではアトピー性皮膚炎の発症は起こらないことから対照群としてＳＰＦ動物を用いた。
【００４７】
これらのマウスを体重の平均値がほぼ同じとなるように群分けし、群別に個別のケージで飼育した。また、マウスの尾にマーキングをすることにより、群内の個体識別を行なった。群分けの詳細を表１に示す。
【００４８】
【表１】
0005265737.tif 000002
【００４９】
表１に示すとおり、１群から６群までに群分けをした。１群、３群、５群はＳＰＦマウスを各６体、２群、４群、６群はConventional（通常飼育）マウスを各１０体とした。１群、２群は空気清浄機、イオン発生器を何も設置しない無設置群とした。３群、４群はＨ＋（Ｈ2Ｏ）m（ｍは任意の整数）からなるプラスイオンとＯ2−（Ｈ2Ｏ）n（ｎは任意の整数）からなるマイナスイオンを発生させるイオン発生器を設置したＰＣＩ（プラズマクラスターイオン）設置群とした。５群、６群は空気清浄機を設置した空気清浄機設置群とした。
【００５０】
これらの群分けされた群ごとにマウスを８畳（約１３．２６ｍ2）の個別の試験室の中に設置した飼育ケージに移し、３週間飼育した。試験室の温度は２３±１℃、湿度５０±１０％に保ち、持続換気および１２時間の明暗サイクルの下に飼育した。飲水は自動給水とし、餌は自動摂取（オリエンタル酵母社齧歯類用通常固形飼料）とした。
【００５１】
ＰＣＩ設置群については、図８（ａ）に示すように、試験室５１にイオン発生素子５３（ＳＨＡＲＰ  ＩＧ−Ｂ２００）を３台設置し、かつ、飼育ケージ５２にイオン発生素子を別途複数個設置することで、飼育ケージ５２内のプラスイオン濃度およびマイナスイオン濃度が２０万個／ｃｍ3になるように調整した（イオン濃度は、ケージの給餌部にイオンカウンターの吸込み口を向け、適当なレンジにして測定）。
【００５２】
空気清浄機設置群については、図８（ｂ）に示すように、試験室５１に空気清浄機５４（ＳＨＡＲＰ  ＦＵ−Ｙ５３ＣＸ）を１台設置して空気清浄機５４を稼働させながら飼育ケージ５２内でマウスを飼育した。なお、空気清浄機からはイオンが発生しないように設定した。空気清浄機にはＨＥＰＡフィルタが備えられており、抗原性物質を捕獲し除去することができる。
【００５３】
各群において、試験開始時（０日目）、７日目、１４日目、２１日目にマウスの皮膚症状の観察を行なった。皮膚症状は写真撮影とアトピースコア（浮腫および紅斑の程度：０＝Ｎｏｎｅ；１＝Ｓｌｉｇｈｔ；２＝Ｍｏｄｅｒａｔｅ；３＝Ｓｅｖｅｒｅ）で判定した。
【００５４】
１群、３群、５群におけるマウスの皮膚症状の写真を図９に示す。また、２群、４群、６群におけるマウスの皮膚症状の写真を図１０に示す。同じく２群、４群、６群におけるマウスのアトピースコアを図１１に示す。
【００５５】
図９に示すとおり、ＳＰＦ飼育された１群、３群、５群のマウスに対して皮膚反応は認められなかった。一方、図１０に示すように、Conventionalのマウスは皮膚反応が認められた。その中でも無設置群が最も高いアトピースコアを示した。ＰＣＩ設置群と空気清浄機設置群は無設置群に比べると有意にアトピースコアが減少した。また、ＰＣＩ設置群と空気清浄機設置群とを比べると、ＰＣＩ設置群が空気清浄機設置群よりも優位に低いアトピースコアを示した。
【００５６】
また、各群において、試験終了時（２１日目）に血液を採取して血漿を分離後、血漿中ＩｇＥ、ＩＦＮ−γ（interferon-gamma）およびＩＬ−１０をＥＬＩＳＡ法により測定した。この結果を図１２、図１３および図１４にそれぞれ示す。
【００５７】
血漿中ＩｇＥ含量は、Conventionalのマウスでは増加を示すが、各群において大きな差は見られなかった。血漿中ＩＦＮ−γおよびＩＬ−１０含量は、Conventionalのマウスでは増加を示すが、ＩＬ−１０含量はＰＣＩ設置群および空気洗浄機設置群において有意に減少した。またＰＣＩ設置群と空気洗浄機設置群との比較においては、ＰＣＩ設置群が空気洗浄機設置群より有意に低い値を示した。ＩＦＮ−γ含量は、ＰＣＩ設置群のみ有意に低い値を示した。
【００５８】
なお、血漿中ＩｇＥ、ＩＦＮ−γ、ＩＬ−１０およびアトピースコアは、平均値±標準偏差として表示した。有意差の検定は、無設置群、ＰＣＩ設置群または空気清浄機設置群間でｔ検定により行なった。なお検定は、統計解析ソフト（ＡＮＯＶＡ）を用い、危険率が５％未満の場合を有意差ありとした。
【００５９】
試験終了時（２１日目）に背前部を採取し、ＨＥ染色を行ない、顕微鏡を用いて炎症性細胞の観察を行なった。結果を図１５に示す。試験２１日目においてConventionalの無設置群に顕著な皮膚（特に表皮）の肥厚が見られた。また、浮腫および炎症性細胞の浸潤が認められた。ＰＣＩ設置群および空気洗浄機設置群では無設置群と比較して表皮の肥厚および炎症性細胞の浸潤の減少が見られた。ＰＣＩ設置群と空気洗浄機設置群の比較において、ＰＣＩ設置群では空気洗浄機設置群より表皮の肥厚は軽度であり、炎症性細胞の浸潤も少なかった。
【００６０】
以上より、Ｈ＋（Ｈ2Ｏ）m（ｍは任意の整数）からなるプラスイオンとＯ2−（Ｈ2Ｏ）n（ｎは任意の整数）からなるマイナスイオンを発生させるイオン発生器を設置したＰＣＩ設置群のマウスは、イオンを発生させない空気清浄機のみを設置した空気清浄機設置群のマウスと比べてアトピー性皮膚炎の発症を効果的に抑制することができることが分かった。ＰＣＩ設置群、空気清浄機設置群はそれぞれ、空気中の抗原性物質を失活、除去させることができるにも関わらず、ＰＣＩ設置群と空気清浄機設置群とで有意な差がある。このことから、Ｈ+（Ｈ2Ｏ）m（ｍは任意の整数）からなるプラスイオンとＯ2−（Ｈ2Ｏ）n（ｎは任意の整数）からなるマイナスイオンとが直接生体自身に作用し、アトピー性皮膚炎の発症を抑制することができることがわかる。
【００６１】
＜実験例２＞
アトピー性皮膚炎を自然発症するＮＣ／Ｎｇａマウスを用いて、治療効果を観るため皮膚反応の程度によって３群に分け、さらにそれぞれをＰＣＩ設置の有無で２群（ＰＣＩ設置群、無設置群）に分けて、計６群で試験を行なった。反応程度は、アトピースコア（浮腫および紅斑の程度：０＝Ｎｏｎｅ；１＝Ｓｌｉｇｈｔ；２＝Ｍｏｄｅｒａｔｅ；３＝Ｓｅｖｅｒｅ）で判定し、平均を算出した。図１６および１７は、実験例２の結果を示すグラフであり、図１６はＰＣＩ設置群および無設置群のそれぞれの生存率の平均を示し、図１７はＰＣＩ設置群および無設置群の皮膚反応の程度によって分けたそれぞれの群の生存率について示している。なお、図１６および図１７において、縦軸は生存率（％）、横軸は週を示している。また、図１８および図１９は、実験例２の結果を示すグラフであり、図１８はＰＣＩ設置群および無設置群の各初期アトピー症状ごとのアトピースコアの総平均を示し、図１９はＰＣＩ設置群および無設置群の各初期アトピー症状ごとのアトピースコアについて示している。なお、図１７および図１９に示すＰＣＩ設置群、無設置群それぞれの括弧内の数値（２、０．６、０．５または０）は、実験開始時点での上記アトピースコアを示している。上記アトピースコアは、マウスの初期アトピー症状として、未発症：０、軽度：０．５（無設置群）、０．６（ＰＣＩ設置群）、重度：２（ＰＣＩ設置群、無設置群）をそれぞれ示す。
【００６２】
図１７に示されるように、プラズマクラスターイオン（Ｈ＋（Ｈ2Ｏ）m（ｍは任意の整数）からなるプラスイオンとＯ2−（Ｈ2Ｏ）n（ｎは任意の整数）からなるマイナスイオン）を当てたＰＣＩ設置群のマウスは、アトピー様皮膚反応の程度に関わらず生存率は１００％であるのに対し、無設置群においては、試験開始後１９週目を境に、以後３週間で全て亡くなるという結果が得られたことが分かる。
【００６３】
また、図１９に示されるように、初期アトピー症状が重度２の場合、プラズマクラスターイオンを当てたＰＣＩ設置群であっても、試験開始１５週目でアトピースコアは最大値である３となった。一方、初期アトピー症状が軽度０．６の場合、プラズマクラスターイオンを当てたＰＣＩ設置群では、アトピースコアは試験開始５週から１３週にかけてアトピースコアで１を少し上回るものの、１７週目から段々と改善される傾向にあることが分かる。また、未発症のマウスに対してもプラズマクラスターイオンを当てたＰＣＩ設置群では、一時的にアトピースコアが高くなるものの、改善傾向であることが分かる。
【００６４】
以上の実験例２より、プラズマクラスターイオン（Ｈ＋（Ｈ2Ｏ）m（ｍは任意の整数）からなるプラスイオンとＯ2−（Ｈ2Ｏ）n（ｎは任意の整数）からなるマイナスイオンで満たした空間ではマウスのアトピー性皮膚炎を治療することができることが分かった。
【符号の説明】
【００６５】
１，１１  アトピー性皮膚炎の予防または治療装置、２  カバー、３  イオン発生素子、４  ヒト、５  寝台、６  側板、７  頭部側側板、１２  ケーシング、１３  開口部、１４  シール部材、１５  屈曲可能部、１６  操作部、１７  スイッチ、１８  ＬＥＤ、１９  通風穴、２１，２２  イオン発生部、２１ａ，２２ａ  放電電極、２１ｂ，２２ｂ  誘電電極環、３１  幌付乳母車、３２  幌。
【図１】
0005265737.tif 000003
【図２】
0005265737.tif 000004
【図３】
0005265737.tif 000005
【図４】
0005265737.tif 000006
【図５】
0005265737.tif 000007
【図６】
0005265737.tif 000008
【図７】
0005265737.tif 000009
【図８】
0005265737.tif 000010
【図１１】
0005265737.tif 000011
【図１２】
0005265737.tif 000012
【図１３】
0005265737.tif 000013
【図１４】
0005265737.tif 000014
【図１６】
0005265737.tif 000015
【図１７】
0005265737.tif 000016
【図１８】
0005265737.tif 000017
【図１９】
0005265737.tif 000018
【図９】
0005265737.tif 000019
【図１０】
0005265737.tif 000020
【図１５】
0005265737.tif 000021